【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
記録媒体に対してクロック信号を出力する手段と、
前記記録媒体に対してコマンド及びデータを送信し、前記記録媒体から送信されたデータをタイミング信号に応じて受信する入出力手段と、
前記クロック信号を遅延させることにより、前記タイミング信号を生成する生成手段と、
前記遅延の量を調整するための調整処理を行う調整手段と、
前記記録媒体に記録すべき記録対象データを前記入出力手段により前記記録媒体に送信するように制御を行う制御手段と、
を備え、
前記制御手段は、前記記録対象データが取得された場合、前記調整手段により前記調整処理を行ってから、前記記録対象データを前記入出力手段により前記記録媒体に送信するように制御を行うことを特徴とする記録装置。
【請求項２】
ユーザによる画像の記録指示に応じて、前記記録対象データとして画像データを取得してバッファメモリに記憶する取得手段を備え、
前記制御手段は、前記記録対象データが前記バッファメモリに記憶された場合、前記記録対象データを前記バッファメモリから前記記録媒体に送信する前に、前記調整手段により前記調整処理を行うように制御を行い、前記調整処理が完了した後に前記記録対象データを前記記録媒体に送信するように制御を行うことを特徴とする請求項１に記載の記録装置。
【請求項３】
前記取得手段は、前記画像データを圧縮して前記記録対象データとして前記バッファメモリに記憶し、
前記制御手段は、前記記録対象データとして前記圧縮された画像データが前記バッファメモリに記憶された後、前記記録対象データを前記バッファメモリから前記記録媒体に送信する前に、前記調整手段により前記調整処理を行うように制御を行うことを特徴とする請求項２に記載の記録装置。
【請求項４】
前記調整手段は、前記記録指示に応じて前記取得手段により取得される複数の前記画像データのうち最初の画像データが前記バッファメモリに記憶された後、前記最初の画像データを前記バッファメモリから前記記録媒体に送信する前に、前記調整手段により前記調整処理を行うように制御を行うことを特徴とする請求項２または３に記載の記録装置。
【請求項５】
記録媒体に対してクロック信号を出力する手段と、
前記記録媒体に対してコマンド及びデータを送信し、前記記録媒体から送信されたデータをタイミング信号に応じて受信する入出力手段と、
前記クロック信号を遅延させることにより、前記タイミング信号を生成する生成手段と、
前記遅延の量を調整するための調整処理を実行する調整手段と、
前記記録媒体に記録すべき記録対象データを前記入出力手段により前記記録媒体に送信するように制御を行う制御手段とを備え、
前記制御手段は、直近の前記調整処理の後に前記記録媒体に送信された前記記録対象データのデータ量の積算量に基づき、前記積算量が閾値を超えている場合に、前記調整手段により前記調整処理を行うように制御を行うことを特徴とする記録装置。
【請求項６】
前記記録対象データを取得してバッファメモリに記憶する取得手段を備え、
前記制御手段は、１つの前記記録対象データが前記記録媒体に送信された後、次の前記記録対象データが前記バッファメモリから前記記録媒体に送信される前に、前記積算量が前記閾値を超えているか否かを判別し、前記積算量が前記閾値を超えている場合、前記調整処理を行ってから前記次の記録対象データを前記記録媒体に送信し、前記積算量が前記閾値を超えていない場合、前記調整処理を行わずに前記次の記録対象データを前記記録媒体に送信するように制御を行うことを特徴とする請求項５に記載の記録装置。
【請求項７】
前記取得手段は、画像データを圧縮して前記記録対象データとして前記バッファメモリに記憶することを特徴とする請求項６に記載の記録装置。
【請求項８】
撮像手段を備え、
前記入出力手段は、前記撮像手段からの画像データを前記記録対象データとして前記記録媒体に送信することを特徴とする請求項１または５に記載の記録装置。
【請求項９】
前記調整手段は、テストデータの送信コマンドを前記入出力手段により前記記録媒体に送信する処理と、前記テストデータの送信コマンドに応答して前記記録媒体が送信したテストデータを前記入出力手段により受信する処理とを、前記タイミング信号の遅延の量を変えながら繰り返し行い、
複数の前記遅延の量の前記タイミング信号それぞれに応じて前記入出力手段が受信した前記テストデータの受信の成否の結果から、前記複数の遅延の量のうち、前記テストデータの受信が成功したときの遅延の量を設定することを特徴とする請求項１または５に記載の記録装置。
【請求項１０】
記録媒体に対してクロック信号を出力する手段と、
前記記録媒体に対してコマンド及びデータを送信し、前記記録媒体から送信されたデータをタイミング信号に応じて受信する入出力手段と、
前記クロック信号を遅延させることにより、前記タイミング信号を生成する生成手段と、
を備える記録装置の制御方法であって、
前記遅延の量を調整するための調整処理を行う調整工程と、
前記記録媒体に記録すべき記録対象データを前記入出力手段により前記記録媒体に送信するように制御を行う制御工程と、
を備え、
前記制御工程では、前記記録対象データが取得された場合、前記調整工程により前記調整処理を行ってから、前記記録対象データを前記入出力手段により前記記録媒体に送信するように制御を行うことを特徴とする制御方法。
【請求項１１】
記録媒体に対してクロック信号を出力する手段と、
前記記録媒体に対してコマンド及びデータを送信し、前記記録媒体から送信されたデータをタイミング信号に応じて受信する入出力手段と、
前記クロック信号を遅延させることにより、前記タイミング信号を生成する生成手段と、
を備える記録装置の制御方法であって、
前記遅延の量を調整するための調整処理を実行する調整工程と、
前記記録媒体に記録すべき記録対象データを前記入出力手段により前記記録媒体に送信するように制御を行う制御工程とを備え、
前記制御工程では、直近の前記調整処理の後に前記記録媒体に送信された前記記録対象データのデータ量の積算量に基づき、前記積算量が閾値を超えている場合に、前記調整工程により前記調整処理を行うように制御を行うことを特徴とする制御方法。
【手続補正２】
【補正対象書類名】明細書
【補正対象項目名】発明の名称
【補正方法】変更
【補正の内容】
【発明の名称】記録装置、及び記録装置の制御方法
【手続補正３】
【補正対象書類名】明細書
【補正対象項目名】０００９
【補正方法】変更
【補正の内容】
【０００９】
上記課題を解決するために、本発明は、記録媒体に対してクロック信号を出力する手段と、前記記録媒体に対してコマンド及びデータを送信し、前記記録媒体から送信されたデータをタイミング信号に応じて受信する入出力手段と、前記クロック信号を遅延させることにより、前記タイミング信号を生成する生成手段と、前記遅延の量を調整するための調整処理を行う調整手段と、前記記録媒体に記録すべき記録対象データを前記入出力手段により前記記録媒体に送信するように制御を行う制御手段と、を備え、前記制御手段は、前記記録対象データが取得された場合、前記調整手段により前記調整処理を行ってから、前記記録対象データを前記入出力手段により前記記録媒体に送信するように制御を行うことを特徴とする記録装置を提供する。